(57)【要約】      （修正有）【課題】携帯用端末機の画面をより拡大し、ユーザにさらに広い画面を提供することができる携帯用端末機の軟性ディスプレイ装置を提供する。【解決手段】携帯用端末機の軟性ディスプレイ装置において、内側に空間が形成されるハウジング２１０と、全体面積のうち少なくとも一つが前記ハウジング２１０の上面で露出され、前記上面で露出された一つから延長されて前記ハウジングの内側で引出し可能に収容される軟性ディスプレイ１１０と、前記ハウジング２１０の内側に収容された前記軟性ディスプレイ１１０を支持する支持部１３０、１４０とを含むことを特徴とする。【選択図】図４
2020034947.tif 000002
【特許請求の範囲】
【請求項１】
フォルダ型携帯端末機用軟性ディスプレイ装置において、
互いにフォルディング可能に結合された第１フォルディング部及び第２フォルディング部と、
物理的に露出された部分を含む軟性ディスプレイ部とを含み、
前記第１フォルディング部及び第２フォルディング部はそれぞれ第１外部面及び第２外部面を有し、前記第１外部面及び第２外部面は互いに反対方向を向け、
前記第１フォルディング部及び第２フォルディング部が互いにフォルディングされる時、前記第１フォルディング部の第１外部面と第２フォルディング部の第１外部面が互いに当接し、
前記露出された部分は第１フォルディング部の第２外部面及び第２フォルディング部の第２外部面に亘って配置され、
フォルディング時、第２外部面の露出された部分は第１フォルディング部と第２フォルディング部を囲む形態であることを特徴とする軟性ディスプレイ装置。
【請求項２】
前記軟性ディスプレイ部の露出された部分が前記第１フォルディング部及び第２フォルディング部のフォルディングまたはアンフォルディング時、フォルディング軸から遠くなる方向に離隔されることを防止するようにするために、前記軟性ディスプレイ部の一側または両側に弾性装置が連結されることを特徴とする請求項１に記載の軟性ディスプレイ装置。
【請求項３】
前記第１フォルディング部または第２フォルディング部の中の少なくとも１つから引出されるスライダーをさらに備えることを特徴とする請求項１に記載の軟性ディスプレイ装置。
【請求項４】
前記軟性ディスプレイは、前記第１フォルディング部及び／または第２フォルディング部で曲がる方式に引出されるように前記露出部から延長されて前記第１フォルディング部及び／または第２フォルディング部内に収容される非露出部をさらに含むことを特徴とする請求項１に記載の軟性ディスプレイ装置。
【請求項５】
前記露出部は前記第１フォルディング部の第１端部から前記第２フォルディング部の第２端部まで実質的に延長され、前記第１端部及び第２端部は互いに対向することを特徴とする請求項１に記載の軟性ディスプレイ装置。
【請求項６】
前記露出部が第１フォルディング部及び／または第２フォルディング部の内部または外部に引入または引出されるように前記非露出部を支持する支持部をさらに含むことを特徴とする請求項４に記載の軟性ディスプレイ装置。
【請求項７】
前記非露出部は第１フォルディング部及び第２フォルディング部が互いにフォルディングされる時、前記第１フォルディング部及び／または第２フォルディング部の内部または外部に引入または引出されることを特徴とする請求項４に記載の軟性ディスプレイ装置。
【請求項８】
前記支持部は前記非露出部に接続された一つの端部を有する接続手段と、連結手段を繰り上げたり解くために、前記接続手段の他端部に連結された回転手段を含むことを特徴とする請求項６に記載の軟性ディスプレイ装置。
【請求項９】
前記連結手段は弾性装置であることを特徴とする請求項８に記載の軟性ディスプレイ装置。
【請求項１０】
前記弾性装置は紐または折り畳み式棒であることを特徴とする請求項９に記載の軟性ディスプレイ装置。
【請求項１１】
前記支持部は前記非露出部を繰り上げたり解くために、前記非露出部に接続された回転手段を含むことを特徴とする請求項６に記載の軟性ディスプレイ装置。
【請求項１２】
前記第１フォルディング部の第２外部面及び／または第２フォルディング部の第２外部面と前記ディスプレイ部の露出部との間に配置された第１スライダーをさらに含むことを特徴とする請求項１〜１１の中の何れか一項に記載の軟性ディスプレイ装置。
【請求項１３】
前記第１フォルディング部の内部面及び／または第２フォルディング部の内部面と前記ディスプレイ部の非露出部との間に配置された第２スライダーをさらに含み、前記内部面は前記第１フォルディング部の第２外部面及び／または第２フォルディング部の前記第２外部面と反対方向を向けることを特徴とする請求項１２に記載の軟性ディスプレイ装置。
【請求項１４】
フォルダ型携帯端末機用軟性ディスプレイ装置において、
互いにフォルディング可能に結合された第１フォルディング部及び第２フォルディング部と、  物理的に露出された部分を含む軟性ディスプレイ部とを含み、
前記第１フォルディング部及び第２フォルディング部はそれぞれ第１外部面及び第２外部面を有し、前記第１外部面及び第２外部面は互いに反対方向を向け、
前記第１フォルディング部及び第２フォルディング部が互いにフォルディングされる時、前記第１フォルディング部の第１外部面と第２フォルディング部の第１外部面が互いに当接し、
前記露出された部分は第１フォルディング部の第１外部面及び第２フォルディング部の第１外部面に亘って配置され、
前記軟性ディスプレイ部の露出された部分が前記第１フォルディング部及び第２フォルディング部のフォルディングまたはアンフォルディング時、フォルディング軸から遠くなる方向に離隔されることを防止するようにするために、前記軟性ディスプレイ部の一側または両側に弾性装置が連結されることを特徴とする軟性ディスプレイ装置。
【請求項１５】
フォルダ型携帯端末機用軟性ディスプレイ装置において、
互いにフォルディング可能に結合された第１フォルディング部及び第２フォルディング部と、
物理的に露出された部分を含む軟性ディスプレイ部とを含み、
前記第１フォルディング部及び第２フォルディング部はそれぞれ第１外部面及び第２外部面を有し、前記第１外部面及び第２外部面は互いに反対方向を向け、
前記第１フォルディング部及び第２フォルディング部が互いにフォルディングされる時、前記第１フォルディング部の第１外部面と第２フォルディング部の第１外部面が互いに当接し、
前記露出された部分は第１フォルディング部の第１外部面及び第２フォルディング部の第１外部面に亘って配置され、
前記第１フォルディング部または第２フォルディング部の中の少なくとも１つのフォルディング部から引出されるスライダーをさらに備えることを特徴とする軟性ディスプレイ装置。
【請求項１６】
フォルダ型携帯端末機用軟性ディスプレイ装置において、
互いにフォルディング可能に結合された第１フォルディング部及び第２フォルディング部と、
物理的に露出された部分を含む軟性ディスプレイ部とを含み、
前記第１フォルディング部及び第２フォルディング部はそれぞれ第１外部面及び第２外部面を有し、前記第１外部面及び第２外部面は互いに反対方向を向け、
前記第１フォルディング部及び第２フォルディング部が互いにフォルディングされる時、前記第１フォルディング部の第１外部面と第２フォルディング部の第１外部面が互いに当接し、
前記露出された部分は第１フォルディング部の第１外部面及び第２フォルディング部の第１外部面に亘って配置され、
前記軟性ディスプレイは、前記第１フォルディング部及び／または第２フォルディング部で曲がる方式に引出されるように前記露出部から延長されて前記第１フォルディング部及び／または第２フォルディング部内に収容される非露出部をさらに含むことを特徴とする軟性ディスプレイ装置。
【請求項１７】
フォルダ型携帯端末機用軟性ディスプレイ装置において、
互いにフォルディング可能に結合された第１フォルディング部及び第２フォルディング部と、
物理的に露出された部分を含む軟性ディスプレイ部とを含み、
前記第１フォルディング部及び第２フォルディング部はそれぞれ第１外部面及び第２外部面を有し、前記第１外部面及び第２外部面は互いに反対方向を向け、
前記第１フォルディング部及び第２フォルディング部が互いにフォルディングされる時、前記第１フォルディング部の第１外部面と第２フォルディング部の第１外部面が互いに当接し、
前記露出された部分は第１フォルディング部の第１外部面及び第２フォルディング部の第１外部面に亘って配置され、
前記露出部は前記第１フォルディング部の第１端部から前記第２フォルディング部の第２端部まで実質的に延長され、前記第１端部及び第２端部は互いに対向することを特徴とする軟性ディスプレイ装置。
【請求項１８】
前記露出部が第１フォルディング部及び／または第２フォルディング部の内部または外部に引入または引出されるように前記非露出部を支持する支持部をさらに含むことを特徴とする請求項１６に記載の軟性ディスプレイ装置。
【請求項１９】
前記非露出部は第１フォルディング部及び第２フォルディング部が互いにフォルディングされる時、前記第１フォルディング部及び／または第２フォルディング部の内部または外部に引入または引出されることを特徴とする請求項１６に記載の軟性ディスプレイ装置。
【請求項２０】
前記支持部は前記非露出部に接続された一つの端部を有する接続手段と、連結手段を繰り上げたり解くために、前記接続手段の他端部に連結された回転手段を含むことを特徴とする請求項１８に記載の軟性ディスプレイ装置。
【請求項２１】
前記連結手段は弾性装置であることを特徴とする請求項２０に記載の軟性ディスプレイ装置。
【請求項２２】
前記弾性装置は紐または折り畳み式棒であることを特徴とする請求項２１に記載の軟性ディスプレイ装置。
【請求項２３】
前記支持部は前記非露出部を繰り上げたり解くために、前記非露出部に接続された回転手段を含むことを特徴とする請求項１６に記載の軟性ディスプレイ装置。
【請求項２４】
前記第１フォルディング部の第２外部面及び／または第２フォルディング部の第２外部面と前記ディスプレイ部の露出部との間に配置された第１スライダーをさらに含むことを特徴とする請求項１４〜２３の中の何れか一項に記載の軟性ディスプレイ装置。
【請求項２５】
前記第１フォルディング部の内部面及び／または第２フォルディング部の内部面と前記ディスプレイ部の非露出部との間に配置された第２スライダーをさらに含み、前記内部面は前記第１フォルディング部の第２外部面及び／または第２フォルディング部の前記第２外部面と反対方向を向けることを特徴とする請求項２４に記載の軟性ディスプレイ装置。
【発明の詳細な説明】
【技術分野】
【０００１】
本発明は、携帯用端末機の軟性ディスプレイ装置に関し、さらに詳しくは、軟性の材質で製作されることによって曲げられる軟性ディスプレイを用いて、携帯用端末機（携帯電話、ＰＭＰ、電子辞典、ＤＭＢ、ナビゲーション、ノート・パンコン、ＵＭＰＣ）の画面をより拡大して、ユーザにさらに広い画面を提供することができる携帯用端末機の軟性ディスプレイ装置に関する。
【背景技術】
【０００２】
携帯用端末機は、最近携帯性を考慮して、小型化、スリップ化、軽量化し、より多様なコンテンツを提供する傾向にある。特に最近は、インターネット検索など多様な機能を具現することができる携帯用端末機などの登場で、携帯用機器のディスプレイが拡張される必要性を有するようになった。例えば、携帯用端末機において、スプレッドシートを用いた文書作業など及びゲームなどの多様なエンターテインメントコンテンツを重要視する方向に発売されている。
【０００３】
このような従来の携帯用端末機は、下記の図１及び図２に示す。
【０００４】
図１は、従来の携帯用端末機を示した斜視図、図２は、従来の携帯用端末機を示した側面図である。
【０００５】
図１及び図２によれば、従来の携帯用端末機は、キーパッドなどが設けられる本体２００と、画面を出力するディスプレイ１０１と、前記ディスプレイ１０１を移動可能に支持する支持手段１０２とを含む。
【０００６】
ここで前記ディスプレイ１０１は、前記本体２００の中心部で収容されて前後方向にスライドされ、前記本体２００から印加される制御信号によって所定の映像を出力する。
【０００７】
前記本体２００は、中央部分に前記ディスプレイ１０１が収容される収容部２０１を含み、前記収容部２０１の左右側上面に、ユーザが操作すればそれぞれの命令語を出力することができるキーパッド２０２が位置する。
【０００８】
前記支持手段１０２は、前記ディスプレイ１０１の両側面に固定され、前記本体２００の内側でスライドされて前記ディスプレイ１０１を移動させ、移動された状態で前記ディスプレイ１０１を支持する。
【０００９】
即ち、従来の携帯用端末機のディスプレイは、前記本体２００の収容部２０１に収容され、ユーザが前記ディスプレイ１０１を一方に押すと、本体２００の内側にスライド締結される支持手段１０２が移動しながら前記ディスプレイ１０１が移動される。
【００１０】
ここで、前記本体２００は、前記ディスプレイ１０１が移動されることによって上面が露出され、従来の携帯用端末機では、より多様な機能を提供するために、別途のディスプレイを設置することがある。
【００１１】
しかし、このような従来の携帯用端末機のディスプレイは、画面が上下に分けられて互いに異なる画面を出力することができるという長所はあるが、携帯用端末機のサイズが有する短所を克服できないため、ユーザは依然として小さい画面を通じて映像を視聴するという根本的な問題点がある。
【発明の概要】
【発明が解決しようとする課題】
【００１２】
本発明は、前記のような従来の問題点を解決するために案出されたもので、本発明の目的は、軟性ディスプレイ装置を用いて同一のサイズを有する携帯用端末機において、より拡張された画面を通じる映像の出力が可能な携帯用端末機の軟性ディスプレイ装置を提供することにある。
【００１３】
本発明の他の目的は、軟性ディスプレイが具備された携帯用端末機において、前記軟性ディスプレイを携帯用端末機の内側に収容及び固定し、前記携帯用端末機の本体の内側に連結させて前記軟性ディスプレイの引入れ及び引出しが容易な携帯用端末機の軟性ディスプレイ装置を提供することにある。
【００１４】
本発明のまた他の目的は、フォルダ型端末機のように画面のサイズが小さい携帯用端末機において、より広い画面を提供することができる携帯用端末機の軟性ディスプレイ装置を提供することにある。
【００１５】
本発明のまた他の目的は、高価の軟性ディスプレイの製作費用を節減することができるように、軟性素材と剛性素材とが混合されたディスプレイを適用して、携帯用端末機の形状による多様な応用と製作費用の節減が可能な携帯用端末機の軟性ディスプレイ装置を提供することにある。
【課題を解決するための手段】
【００１６】
本発明は、前記のような目的を達成するために、下記のような実施例を含む。
本発明による第１実施例は、本発明の携帯用端末機の軟性ディスプレイ装置において、内側に空間が形成されるハウジングと、少なくとも一つの軟性ディスプレイが前記ハウジングの上面で露出されて前記ハウジングの内側に延長されて引出し可能に収容されるディスプレイ部と、前記ハウジングの内側に収容された前記軟性ディスプレイを支持する支持部とを含むことを特徴とする。
【００１７】
本発明による第２実施例は、第１実施例において、前記支持部は、前記ハウジングの内側に収容される前記軟性ディスプレイの一側端に連結される連結手段と、回転可能な回転軸と前記連結手段の一側端とが固定される外面で形成され、前記回転軸の回転によって前記連結手段を引いたり解いたりして前記軟性ディスプレイの引入れ及び引出しを可能にする回転手段と、前記ハウジングの内側両側面で前記軟性ディスプレイの側面に突き出した突起が係止されることで前記軟性ディスプレイの移動を停止させるように溝で形成される係止溝とを含む。
【００１８】
本発明による第３実施例は、第１実施例において、前記支持部は、弾性力を有して回転される回転軸を具備し、前記ハウジングの内側で収容される前記軟性ディスプレイの一側端が固定されてローリングされる外面を含むことで、前記軟性ディスプレイを弾性支持する回転手段と、前記ハウジングの内側面で前記軟性ディスプレイの両側面または前記下部スライダーの両側面に突き出した突起が係止されるように溝で形成されて前記軟性ディスプレイの移動を停止させる係止溝とをさらに含む。
【００１９】
本発明による第４実施例は、第１乃至第３実施例のいずれか一つにおいて、前記軟性ディスプレイ装置において、前記軟性ディスプレイの後面に固定され、前記ハウジングの上面で移動可能にスライド締結されて前記軟性ディスプレイの移動を案内する上部スライダーと、前記ハウジングの内側で収容される軟性ディスプレイの後面に固定され、前記ハウジングの内側上面をスライドすることで前記軟性ディスプレイを案内する下部スライダーとのいずれか一つ以上をさらに含む。
【００２０】
本発明による第５実施例は、第４実施例において、前記上部スライダーと前記ハウジングの上面と、前記下部スライダーとは、前記ハウジングの内側上面で相互噛み合う凹凸状を有して締結されてスライドすることを特徴とする。
【００２１】
本発明による第６実施例は、第５実施例において、前記上部スライダーと下部スライダーとは、台形状の凹凸構造を有することを特徴とする。
【００２２】
本発明による第７実施例は、第６実施例において、前記携帯用端末機の軟性ディスプレイ装置は、前記ハウジングの上面に露出される軟性ディスプレイを中心として両側にそれぞれ延長される両側端部分が前記ハウジングの内側にそれぞれ引入れ及び移動可能に前記支持部によって固定されることを特徴とする。
【００２３】
本発明による第８実施例は、第６実施例において、前記軟性ディスプレイ装置は、前記ハウジング、上部または下部スライダー、支持部をそれぞれ含む第１軟性ディスプレイと第２軟性ディスプレイとが相互結合されることを特徴とする。
【００２４】
本発明による第９実施例は、第１乃至第８実施例のいずれか一つの軟性ディスプレイ装置を含むフォルダ型携帯用端末機において、前記軟性ディスプレイは、上下に回転されて本体の上面を開閉するフォルダの内面から前記本体の上面に延長されるか、または前記フォルダの外面から前記本体の外面に延長形成される。
【００２５】
本発明による第１０実施例は、第９実施例において、前記軟性ディスプレイは、剛性素材で製作された領域と軟性素材で製作された領域とが一体化されたことを特徴とする。
【発明の効果】
【００２６】
上述したように、本発明による携帯用端末機の軟性ディスプレイ装置は、携帯用端末機に軟性ディスプレイを具備してより広い画面を提供するので、サービス提供業者別に提供されるコンテンツをより楽しむことができ、ユーザの便宜とサービス提供業者の売上げの拡大に寄与することができるという効果がある。
【００２７】
また本発明は、軟性ディスプレイが具備された携帯用端末機において、前記軟性ディスプレイを携帯用端末機の内側に収容及び固定し、前記携帯用端末機の本体内側に固定される紐または折り畳み連結手段などに連結させて、前記軟性ディスプレイの引入れ及び引出しが容易な効果がある。
【００２８】
また本発明は、フォルダ型端末機で制限された画面を軟性ディスプレイを用いてフォルダから本体まで画面を拡大することができ、サイズの小さい端末機でも拡大された画面を提供することができるという効果がある。
【００２９】
また本発明は、剛性素材と軟性素材とからなるディスプレイを用いて携帯用端末機に装着するので、製造費用を節減し、ハウジングの形態や携帯用端末機の種類によってより多くの応用が可能な効果がある。
【図面の簡単な説明】
【００３０】
【図１】従来の携帯用端末機を示した斜視図である。
【図２】従来の携帯用端末機の側面図である。
【図３】本発明による携帯用端末機の軟性ディスプレイ装置を示した斜視図である。
【図４】本発明による携帯用端末機の軟性ディスプレイ装置の側断面図である。
【図５】本発明による携帯用端末機の軟性ディスプレイ装置において、軟性ディスプレイの締結構造の一例を簡単に示した断面図である。
【図６】本発明による携帯用端末機の軟性ディスプレイ装置において、軟性ディスプレイの固定構造を示した側面図である。
【図７】本発明による携帯用端末機の軟性ディスプレイ装置の第２実施例を示した側断面図である。
【図８】本発明による携帯用端末機の軟性ディスプレイ装置の第２実施例の作用説明のための平面図である。
【図９】本発明による携帯用端末機の軟性ディスプレイ装置の第２実施例の作用説明のための平面図である。
【図１０】本発明による携帯用端末機の軟性ディスプレイ装置の第３実施例を比較説明するための一般的なフォルダ型携帯用端末機を示した斜視図である。
【図１１】本発明による携帯用端末機の軟性ディスプレイ装置の第３実施例を示した斜視図である。
【図１２】本発明による携帯用端末機の軟性ディスプレイ装置の第３実施例を示した斜視図である。
【図１３】本発明による携帯用端末機の軟性ディスプレイ装置の第４実施例を示した図面である。
【図１４】本発明による携帯用端末機の軟性ディスプレイ装置の第４実施例を示した図面である。
【発明を実施するための形態】
【００３１】
本発明は、前記のような目的を達成するために下記のような実施例を含む。
【００３２】
本発明による第１実施例は、本発明の携帯用端末機の軟性ディスプレイ装置において、内側に空間が形成されるハウジングと、少なくとも一つの軟性ディスプレイが前記ハウジングの上面で露出されて前記ハウジングの内側に延長されて引出し可能に収容されるディスプレイ部と、前記ハウジングの内側に収容された前記軟性ディスプレイを支持する支持部とを含むことを特徴とする。
【００３３】
本発明による第２実施例は、第１実施例において、前記支持部は、前記ハウジングの内側に収容される前記軟性ディスプレイの一側端に連結される連結手段と、スプリングによる弾性力で回転可能な回転軸と前記連結手段の一側端とが固定される外面で形成され、前記回転軸の回転によって前記連結手段を引いたり解いたりして前記軟性ディスプレイの引入れ及び引出しを可能にする回転手段とを含む。
【００３４】
本発明による第３実施例は、第１実施例において、前記支持部は、スプリングによる弾性力で回転される回転軸を具備し、前記ハウジングの内側で収容される前記軟性ディスプレイの一側端が固定されてローリングされる外面を含むことで、前記軟性ディスプレイを弾性支持する回転手段と、前記ハウジングの内側面で前記軟性ディスプレイの両側面または前記下部スライダーの両側面に突き出した突起が係止されるように溝で形成されて前記軟性ディスプレイの移動を停止させる係止溝とをさらに含む。
【００３５】
本発明による第４実施例は、第１乃至第３実施例のいずれか一つにおいて、前記軟性ディスプレイ装置において、前記軟性ディスプレイの後面に固定され、前記ハウジングの上面で移動可能にスライド締結されて前記軟性ディスプレイの移動を案内する上部スライダーと、前記ハウジングの内側で収容される軟性ディスプレイの後面に固定され、前記ハウジングの内側上面をスライドすることで前記軟性ディスプレイを案内する下部スライダーとのいずれか一つ以上をさらに含む。
【００３６】
本発明による第５実施例は、第４実施例において、前記上部スライダーと前記ハウジングの上面と、前記下部スライダーとは、前記ハウジングの内側上面で相互噛み合う凹凸状を有して締結されてスライドすることを特徴とする。
【００３７】
本発明による第６実施例は、第５実施例において、前記上部スライダーと下部スライダーとは、台形状の凹凸構造を有することを特徴とする。
【００３８】
本発明による第７実施例は、第６実施例において、前記携帯用端末機の軟性ディスプレイ装置は、前記ハウジングの上面に露出される軟性ディスプレイを中心として両側にそれぞれ延長される両側端部分が前記ハウジングの内側にそれぞれ引入れ及び移動可能に前記支持部によって固定されることを特徴とする。
【００３９】
本発明による第８実施例は、第６実施例において、前記軟性ディスプレイ装置は、前記ハウジング、上部または下部スライダー、支持部をそれぞれ含む第１軟性ディスプレイと第２軟性ディスプレイとが相互結合されることを特徴とする。
【００４０】
本発明による第９実施例は、第１乃至第８実施例のいずれか一つの携帯用端末機の軟性ディスプレイ装置は、上下に回転されるフォルダと本体を具備した携帯用端末機において、前記軟性ディスプレイが前記フォルダの内面から前記本体の上面に延長されるか、または前記フォルダの外面から前記本体の外面に延長形成されることを特徴とする。
【００４１】
本発明による第１０実施例は、第９実施例において、前記軟性ディスプレイは、剛性素材で製作された領域と軟性素材で製作された領域とが一体化されたことを特徴とする。
【００４２】
（発明を実施するための形態）
以下では、本発明による携帯用端末機の軟性ディスプレイ装置の好ましい実施例を添付した図面を参照して詳しく説明する。
【００４３】
図３は、本発明による携帯用端末機の軟性ディスプレイ装置を示した斜視図、図４は、本発明による携帯用端末機の軟性ディスプレイ装置の側断面図である。
【００４４】
図３及び図４によれば、本発明による携帯用端末機の軟性ディスプレイ装置は、ディスプレイ部１００と本体２００とを具備する。前記ディスプレイ部１００は、軟性ディスプレイであり、一側端が前記本体２００の内側から引入れ及び引出しされ、他側は前記本体２００の上面に露出される。前記本体２００は、ハウジング２１０と、前記ハウジング２１０の内側に収容される前記軟性ディスプレイ１１０の一側部分を移動及び収容可能に支持する支持部１３０、支持部１４０のうち少なくとも一つと、前記ハウジング２１０の上面２１２で前記軟性ディスプレイ１１０の露出された一部をスライド移動させて支持する上部スライダー１２１と、前記ハウジング２１０の内側上面２１３で前記本体２００に収容された軟性ディスプレイ１１０の他側を移動可能に支持する下部スライダー１２２とを含む。
【００４５】
前記軟性ディスプレイ１１０は、前記ハウジング２１０の上面で外部に露出される部分と、前記ハウジング２１０の内側に延長される他側とが延長形成され、自体材質の特性によって、前記ハウジング２１０の内側で曲げられた形態で前記ハウジング２１０の上面２１２に延長される。従って、ユーザが前記ハウジング２１０の上面２１２に露出された前記軟性ディスプレイ１１０の一側を押すと、前記軟性ディスプレイ１１０が一方向に移動されるので、前記ハウジング２１０の内側に収容される他側が引出されて前記ハウジング２１０の上面２１２に移動される。
【００４６】
ここで、前記軟性ディスプレイは、ＯＬＥＤまたはＬＣＤからなる剛性素材のディスプレイと軟性材質の軟性ディスプレイとが一つのディスプレイとして製作されて本発明に適用可能である。即ち、例えば、一つのディスプレイにおいて、前記剛性素材のディスプレイからなる領域から軟性素材のディスプレイ領域に延長形成される複合素材のディスプレイを本発明に適用することができる。これを説明すると、前記剛性素材のディスプレイ領域は、前記ハウジング２１０の上面２１２に位置させ、前記剛性素材のディスプレイから延長形成される軟性素材のディスプレイ領域が前記ハウジングの内側に収容されて移動する時に曲げられることで、ディスプレイの領域を拡張することが可能である。
【００４７】
従って、ユーザは、前記ハウジング２１０の上面２１２に露出された部分と前記ハウジング２１０の内側に収容されるディスプレイとが全てハウジング２１０の上面２１２に露出された状態で、映像出力の命令キー（図示せず）を操作して、より大きい画面を通じて映像を確認することができる。
【００４８】
前記ハウジング２１０は、前記本体２００の外側をなすプラスチックまたはその他の材質からなり、内側に空間を形成する。ここで、前記ハウジング２１０は、上面２１２で前記上部スライダー１２１と移動可能に締結され、内側上面２１３で前記下部スライダー１２２が移動可能に締結構造を含む。これは、下記の図５に示しており、前記図３及び図４と共に前記上部スライダーと下部スライダー及び前記ハウジングを説明する。
【００４９】
図５は、本発明による携帯用端末機の軟性ディスプレイ装置において、軟性ディスプレイの締結構造の一例を簡単に示した断面図である。
【００５０】
図５によれば、前記ハウジング２１０は、上面２１２で前記上部スライダー１２１が移動可能に締結される凹凸溝が形成され、内側上面２１３で前記下部スライダー１２２が移動可能に締結される凹凸溝を含む。ここで前記凹凸溝は、台形状を有することを特徴とする。
【００５１】
前記上部スライダー１２１は、前記軟性ディスプレイ１１０で一側端部分の後面で固定され、前記ハウジング２１０の上面２１２の凹凸溝にスライド可能に締結される。即ち、前記上部スライダー１２１は、下面で前記ハウジング２１０の上面２１２の凹凸構造に移動可能に噛み合った凹凸溝が形成される。従って、前記上部スライダーは、ユーザが前記ハウジング２１０の上面２１２に露出された一側に力を加えると、前記ハウジング２１０の上面２１２に沿ってスライドされると同時に、前記軟性ディスプレイ１１０を支持する。ここで好ましくは、前記上部スライダーと前記ハウジングの上面で所定位置に到達すると、前記上部スライダーの移動を阻止する係止構成を追加することが好ましい。
【００５２】
即ち、前記上部スライダーと前記ハウジングの上面との凹凸式移動構造において、前記ハウジング上面の端部分に係止溝（図示せず）を構成し、前記上部スライダーに前記ハウジング上面の係止溝に係止される突起（図示せず）を追加することが好ましい。前記のような上部スライダー１２１の固定構造は、一般的に公知された技術を適用することも可能であるので、その詳細な説明を省略する。
【００５３】
前記下部スライダー１２２は、前記ハウジング２１０の内側上面２１３の凹凸溝に噛み合う凹凸溝を含み、前記ハウジング２１０の内側上面２１３に沿ってスライドされて前記軟性ディスプレイ１１０の引入れ及び引出しを支持する。従って、前記下部スライダー１２２は、前記軟性ディスプレイ１１０の移動と同時にスライドされて前記軟性ディスプレイ１１０を支持する。この時、前記軟性ディスプレイ１１０は、前記ハウジング２１０の引出し孔２１１を通じて外側に引出される。
【００５４】
ここで、前記上部スライダー１２１と前記下部スライダー１２２とは、いずれか一つのみを設置することもでき、同時に設置されて前記軟性ディスプレイ１１０の移動をガイドし、前記軟性ディスプレイ１１０の引出しが完了して拡張された形態を保持するように支持する。
【００５５】
また、本発明は、前記のような軟性ディスプレイ１１０の引入れ及び引出しを可能に前記軟性ディスプレイ１１０を弾性支持する前記支持部１３０、１４０を含み、これは、図６に示している。
【００５６】
図６によれば、前記支持部は、前記ハウジング２１０の内側で前記軟性ディスプレイの他側端に連結される連結手段１３０と、前記連結手段１３０の反対側端が連結される回転可能な回転軸（図示せず）を含み、弾性力によって回転可能な回転手段１４０とを含む。
【００５７】
ここで、前記連結手段１３０は、紐または折り畳み式棒であり、前記ハウジング２１０の内側に移動可能に収容される前記軟性ディスプレイ１１０の他側端に一側端が固定され、反対側端が前記回転手段１４０の外面に固定され、前記回転手段１４０の回転方向によって前記軟性ディスプレイ１１０に力を加える。
【００５８】
前記回転手段１４０は、前記弾性力を有する回転軸（図示せず）の回転方向に従って前記軟性ディスプレイ１１０を所定の力で引く。従って、前記回転手段１４０は、前記軟性ディスプレイ１１０が引出される場合に、例えば、正方向に回転されて前記連結手段１３０を解くように回転され、前記軟性ディスプレイ１１０が位置に復帰しながら反対方向の力を加えると、前記回転手段１４０の弾性力で前記連結手段１３０を引く。
【００５９】
ここで、前記回転手段１４０は、内側にスプリング（図示せず）を具備して前記回転方向によってスプリングが収縮または膨脹するので、前記回転軸を正逆方向に回転可能になるように弾性力を加える。
【００６０】
ここで、本発明は、他の実施例として、前記連結手段１３０を具備する代わりに前記軟性ディスプレイ１１０の他側端自体を前記回転手段１４０の外面にローリングすることも可能である。即ち、上述したように、前記軟性ディスプレイ１１０は、前記連結手段１３０によって前記回転手段１４０の弾性力により復帰する構成を含むが、他の実施例として、前記軟性ディスプレイ１１０の他側端が前記回転手段１４０の外面にローリングする構成も本発明の技術的思想の範疇に属する。
【００６１】
さらに、本発明は、前記のように下部スライダー１２２の移動時に連結手段１３０が引かれるので、前記回転手段１４０は、一方向に回転しながら前記連結手段１３０を解く。この時、前記軟性ディスプレイ１１０の移動が完了すると、前記回転手段１４０の弾性力によって前記軟性ディスプレイ１１０を原位置に復帰させるため、前記ハウジング２１０の内側で前記軟性ディスプレイ１１０または下部スライダー１２２の移動を阻止する係止構成がさらに構成されることが好ましい。
【００６２】
即ち、例えば、前記軟性ディスプレイ１１０の両側面または下部スライダーの両側面に突起（図示せず）をそれぞれ構成し、前記ハウジング２１０の内側面で前記突起が係止される係止溝（図示せず）を構成することが好ましい。
【００６３】
従って、前記軟性ディスプレイ１１０または前記下部スライダー１２２が所定位置に到達すると、両側面に位置した突起（図示せず）が前記係止溝（図示せず）に係止されるので、ユーザが前記軟性ディスプレイ１１０に力を加えなくても、前記回転手段１４０の弾性力によって前記軟性ディスプレイ１１０または下部スライダー１２２が原位置に復帰されない。
【００６４】
逆に、ユーザが前記軟性ディスプレイ１１０を反対に移動させると、前記係止溝（図示せず）に係止された突起（図示せず）が離脱されるので、前記回転手段１４０の弾性力によって前記軟性ディスプレイ１１０が弾性力によって原位置に復帰される。ここで、前記のような突起及び係止溝の構成は図示しないが、これは本発明で実現可能であり、一般的に公知されたスライダーの係止構成を応用することができ、その詳細構成に対する図面及び説明を省略する。
【００６５】
本発明は、携帯用端末機（携帯電話、電子辞典、ノート・パンコン、ＰＭＰ、ナビゲーション、ＤＭＢ）の映像を出力する映像部の構成を軟性ディスプレイを通じて従来に比べてより広い画面を提供することを特徴とし、このために、上述したような軟性ディスプレイの収容及び支持構造を含み、前記のような技術が実現可能な構成であることを証明した。また、本発明は、前記のような技術的思想に基づいて下記のような多様な実施例を構成することが可能である。
【００６６】
図７は、本発明による携帯用端末機の軟性ディスプレイ装置の第２実施例を示した側断面図である。
【００６７】
図７によれば、本発明の第２実施例は、上述した好ましい実施例の軟性ディスプレイで提供する画面よりさらに広い画面を提供することができる。これを説明すると、本体２００のハウジング２１０の長さよりさらに長い長さを有する軟性ディスプレイ１１０は、前記ハウジング２１０の上面２１２に位置する領域を第１面ａと第２面ｂとに区分し、前記第１面ａから一側に延長されて前記ハウジング２１０の内側で引入れ及び引出される第１側ａ′と、前記第２面ｂから他側に延長されて前記ハウジング２１０の内側で引入れ及び引出される第２側ｂ′とを含む。
【００６８】
ここで、前記第１側ａ′と第２側ｂ′とは、それぞれ別途の支持部１３０、１４０によって前記ハウジング２１０の内側で支持される。
【００６９】
前記第１側ａ′は、第１上部スライダー１２１ａと第１下部スライダー１２２ａとによって前記ハウジング２１０の上面２１２と内側上面２１３とでそれぞれ支持され、前記第２側ｂ′は、前記第２上部スライダー１２１ｂと前記第２下部スライダー１２２ｂとによってそれぞれ支持される。また、前記第１側ａ′と第２側ｂ′とは、それぞれ互いに異なる連結手段１３０に連結されて回転手段１４０の弾性力によって支持されるか、または前記回転手段１４０の外面に前記軟性ディスプレイ１１０の両側端がローリングされた状態で支持されることも可能である。
【００７０】
図８及び図９は、本発明による携帯用端末機の軟性ディスプレイ装置の第２実施例の作用説明のための平面図である。
【００７１】
図８及び図９によれば、本発明による軟性ディスプレイは、図示したように、ハウジング２１０の上面２１２で露出された部分を第１面ａと第２面ｂとにそれぞれ区分することができる。ここで前記第１側ａ′と第２側ｂ′とは、前記ハウジング２１０の内側に収容された状態で、図８で確認できない。しかし、ユーザが前記第１側ａ′と第２側ｂ′とを引出せば、上述したように、前記支持部１３０、１４０と上部スライダー１２１ａ、１２１ｂ及び下部スライダー１２２ａ、１２２ｂの作用によって図９に示すように引出されて、第１面ａと第２面ｂとの両側にそれぞれ延長されるように露出される。
【００７２】
従って、ユーザは、上述した好ましい実施例で提供される画面に比べてより広い画面を通じて映像サービスの提供を受けることができる。
【００７３】
図１０は、本発明による携帯用端末機の軟性ディスプレイ装置の第３実施例を比較説明するための一般的なフォルダ型携帯用端末機を示した斜視図である。
【００７４】
図１０によれば、一般的に、フォルダ型携帯電話は、図示したようにフォルダ１００ａにディスプレイ１１０が具備されて映像を出力し、本体２００には、ユーザの操作のためのキーパッドが具備されている。このようなフォルダ型携帯電話は、そもそもフォルダ自体のサイズが小さいため、小さい画面を提供するしかなかった。しかし、本発明では、前記のような支持部１３０、１４０とスライダー１２１、１２２、軟性ディスプレイ１１０を用いて図１１のような構成を具現することが可能である。
【００７５】
図１１及び図１２は、本発明による携帯用端末機の軟性ディスプレイ装置の第３実施例を示した斜視図である。
【００７６】
図１１及び図１２によれば、本発明の第３実施例は、フォルダ型携帯電話において、前記フォルダ１００ａの上側から本体２００の下側まで一つで延長される軟性ディスプレイ１１０を具備する。ここで前記フォルダの上側と前記本体２００の下側との端部分において、それぞれ本体２００の内側とフォルダ１００ａの内側とに引入れた状態で収容され、前記フォルダ１００ａが回転する時に、前記フォルダと本体２００の内側に収容される軟性ディスプレイの両側部分が引出されてさらに広い画面を提供することができる。
【００７７】
本発明は、図示したように、フォルダ１００ａの内側から本体２００に延長形成されることも可能であり、さらに本発明は、図１２に示すように、前記フォルダ１００ａと本体２００の外部に前記軟性ディスプレイ１１０が具備されることも本発明の技術的思想の範疇に属する。
【００７８】
図１３及び図１４は、本発明による携帯用端末機の軟性ディスプレイ装置の第４実施例を示した図面である。
【００７９】
図１３及び図１４によれば、本発明の第４実施例は、上述したような支持部１３０、１４０によってハウジング２１０の内側で引入れ及び引出し可能に支持される一つ以上の軟性ディスプレイ装置１１０ａ、１１０ｂが結合される構成を示した。即ち、本発明では、第１軟性ディスプレイ１１０ａと第２軟性ディスプレイ１１０ｂとが一側で相互締結されて一つの携帯用端末機に装着されることも可能である。
【００８０】
詳しく説明すると、前記第１軟性ディスプレイ１１０ａと第２軟性ディスプレイ１１０ｂとは、互いに独立した軟性ディスプレイとして一面で相互締結された状態である。そして、前記第１軟性ディスプレイ１１０ａと第２軟性ディスプレイ１１０ｂとのいずれか一方は、それぞれのディスプレイ装置のハウジング２１０または上述したような本体２００の内側で、前記支持部１３０、１４０と上部スライダー１２２、または下部スライダー１２３によってそれぞれ支持される。
【００８１】
従って、第１軟性ディスプレイ１１０ａと第２軟性ディスプレイ１１０ｂとをユーザが移動させて、ハウジング２１０の内側に収容されたそれぞれの一方部分１１０ａ′、１１０ｂ′を引出せば、図１３のように、第１軟性ディスプレイ１１０ａと第２軟性ディスプレイ１１０ｂとがいずれか一方向に拡張されることができる。
【００８２】
このように、本発明は、軟性ディスプレイを用いて携帯用端末機の画面を拡張することができ、ユーザに拡大された画面を提供することができ、業社から提供されるコンテンツをより楽しむことができるので、非常に有用である。
【００８３】
（産業上の利用の可能性）
本発明は、上述した特徴の好ましい実施例に限らず、特許請求の範囲で請求する本願発明の要旨を逸脱することなく、当該発明が属する技術分野において通常の知識を有するものであれば多様に変形して実施することが可能であることは勿論であり、そのような変更は、特許請求の範囲の記載の範囲内にある。
【符号の説明】
【００８４】
１００  ディスプレイ部
１１０  軟性ディスプレイ
１２１  上部スライダー
１２２  下部スライダー
１３０  連結手段
１４０  回転手段
２００  本体
２１０  ハウジング
２１１  引出孔
２１２  ハウジング上面
２１３  ハウジング内側の上面
【図１】
2020034947.tif 000003
【図２】
2020034947.tif 000004
【図３】
2020034947.tif 000005
【図４】
2020034947.tif 000006
【図５】
2020034947.tif 000007
【図６】
2020034947.tif 000008
【図７】
2020034947.tif 000009
【図８】
2020034947.tif 000010
【図９】
2020034947.tif 000011
【図１０】
2020034947.tif 000012
【図１１】
2020034947.tif 000013
【図１２】
2020034947.tif 000014
【図１３】
2020034947.tif 000015
【図１４】
2020034947.tif 000016